(57)【要約】【課題】画面を注視することなく、機器の設定状態や動作状態等が確認できるようにする。【解決手段】タッチパネルを有する画面に、エアコン機器の温度・風量設定機能を操作する操作スイッチを模擬した図形を表示し、タッチ操作した操作スイッチの設定範囲内の位置を検出し、この検出した位置に応じて設定を変更するとともに、この変更された設定に基づいて振動レベルの振動をタッチパネルに発生させる。これにより、画面を注視することなく、機器の設定状態や動作状態等を確認することができる。【選択図】        図５
2004362428.tif 000002
【特許請求の範囲】
【請求項１】
操作スイッチを模擬した図形を画面に表示する表示制御手段と、
一方の面が前記画面に対向して配置され、他方の面から前記画面の表示内容の読み取りができるタッチパネルを備え、前記図形が表示される領域のタッチパネルをタッチ操作することにより機器の入力操作を行うタッチ操作手段と、
前記タッチ操作手段による入力操作に基づいて前記機器の動作を制御する機器制御手段と、
前記タッチパネルを振動させる振動発生手段と、
前記タッチパネルをタッチ操作する場合、前記機器の設定状態、及び動作状態の何れかに応じて異なる振動を前記振動発生手段に発生させる振動制御手段とを備えることを特徴とするタッチ操作入力装置。
【請求項２】
前記振動制御手段は、少なくとも、振動レベル、振動時間、振動パターン、振動周波数の何れかの異なる振動を発生させることを特徴とする請求項１記載のタッチ操作入力装置。
【請求項３】
前記表示制御手段は、前記操作スイッチを模擬した図形として、前記機器の設定範囲を模擬した図形を設定変更スイッチとして画面に表示し、
前記タッチ操作手段は、前記設定範囲内へのタッチ操作位置に応じて、前記機器の設定を変更する入力操作を実行し、
前記機器制御手段は、前記タッチ操作手段による設定変更の入力操作に基づいて前記機器の設定を変更する制御を実行し、
前記振動制御手段は、前記機器の設定変更に応じて異なる振動を発生させることを特徴とする請求項１又は２記載のタッチ操作入力装置。
【請求項４】
前記機器制御手段は、前記タッチパネルをタッチ操作している時間の長さに基づいて前記機器の動作速度の制御を実行し、
前記振動制御手段は、前記機器の動作速度に応じて異なる振動を発生させることを特徴とする請求項１又は２記載のタッチ操作入力装置。
【請求項５】
前記機器制御手段は、前記タッチパネルをタッチ操作している時間の長さに基づいて前記機器の設定を連続的に変更する制御を実行し、
前記振動制御手段は、前記連続的に変更される設定に応じて連続的に異なる振動を発生させることを特徴とする請求項１又は２記載のタッチ操作入力装置。
【請求項６】
前記表示制御手段は、前記操作スイッチを模擬した図形とともに地図を画面に表示し、
前記機器制御手段は、前記タッチ操作時間の長さに応じて前記地図のスクロール速度を制御し、
前記振動制御手段は、前記地図のスクロール速度に応じて異なる振動を発生させることを特徴とする請求項４記載のタッチ操作入力装置。
【請求項７】
タッチパネルを有する画面に操作スイッチを模擬した図形を表示し、前記図形が表示される領域のタッチパネルがタッチ操作されることにより機器の入力操作を行い、この入力操作に基づいて前記機器の動作を制御し、前記タッチパネルがタッチ操作される場合、前記機器の設定状態、及び動作状態の何れかに応じて前記タッチパネルに異なる振動を発生させることを特徴とするタッチ操作入力装置における振動発生方法。
【請求項８】
前記タッチパネルには、少なくとも、振動レベル、振動継続時間、振動パターン、及び振動周波数の何れかの異なる振動を発生させることを特徴とする請求項７記載のタッチ操作入力装置における振動発生方法。
【発明の詳細な説明】
【０００１】
【発明の属する技術分野】
本発明は、タッチ操作入力装置、タッチ操作入力装置における振動発生方法に関するものである。
【０００２】
【従来の技術】
従来、タッチパネルを備えるタッチ操作入力装置において、表示項目に応じて異なる振動を発生させるものが提案されている（例えば、特許文献１参照。）。この特許文献１に開示されているタッチ操作入力装置によれば、例えば、エアコン機器の操作等で用いられる「ＵＰ」、「ＤＯＷＮ」項目に対し、「ＵＰ」を押下した場合には、「ト、ト、ツー」というリズムでタッチパネルを振動させ、一方、「ＤＯＷＮ」を押下した場合には、「ツー、ツー」というリズムでタッチパネルを振動させる。これにより、画面を注視しなくとも、押下した項目を確認することができる。
【０００３】
【特許文献１】
特開２０００−１９４４２７号公報
【０００４】
【発明が解決しようとする課題】
例えば、エアコン機器の温度調節等に、上述のタッチ操作入力装置を用いる場合、「ＵＰ」、「ＤＯＷＮ」項目を押下することによって、画面を注視しなくとも、設定温度を変更することができる。しかしながら、従来のタッチ操作入力装置では、どの程度の温度に設定変更しているのか、あるいは、エアコン機器が動作しているのかを、画面を注視することなく確認することができなかった。
【０００５】
本発明は、かかる問題を鑑みてなされたもので、画面を注視することなく、機器の設定状態や動作状態等が確認できるタッチ操作入力装置、タッチ操作入力装置における振動発生方法を提供することを目的とする。
【０００６】
【課題を解決するための手段】
請求項１に記載のタッチ操作入力装置は、操作スイッチを模擬した図形を画面に表示する表示制御手段と、一方の面が画面に対向して配置され、他方の面から画面の表示内容の読み取りができるタッチパネルを備え、図形が表示される領域のタッチパネルをタッチ操作することにより機器の入力操作を行うタッチ操作手段と、タッチ操作手段による入力操作に基づいて機器の動作を制御する機器制御手段と、タッチパネルを振動させる振動発生手段と、タッチパネルをタッチ操作する場合、機器の設定状態、及び動作状態の何れかに応じて異なる振動を振動発生手段に発生させる振動制御手段とを備えることを特徴とする。
【０００７】
このように、本発明のタッチ操作入力装置は、タッチパネルにタッチ操作する場合、機器の設定状態、及び動作状態の何れかによって異なる振動をタッチパネルに発生させる。これにより、例えば、エアコン機器の風量調節機能等において、タッチ操作によって風量の設定が変更される場合、この変更される風量の設定に応じて、例えば、振動レベル等を変更してタッチパネルを振動させることができる。また、例えば、ナビゲーション装置の地図スクロール機能等では、地図スクロールの速度の高低に応じて、例えば、振動パターン等を変更してタッチパネルを振動させることができる。その結果、ユーザは、画面を注視することなく、機器の設定状態や動作状態等を確認することができる。
【０００８】
請求項２に記載のタッチ装置入力装置では、振動制御手段は、少なくとも、振動レベル、振動時間、振動パターン、振動周波数の何れかの異なる振動を発生させることを特徴とする。このように、機器の設定状態や動作状態等によって振動レベル、振動継続時間、振動パターン、振動周波数等を変えて振動させることで、ユーザは、画面を注視することなく、機器の設定状態や動作状態を確認することができる。
【０００９】
請求項３に記載のタッチ操作入力装置では、表示制御手段は、操作スイッチを模擬した図形として、機器の設定範囲を模擬した図形を設定変更スイッチとして画面に表示し、タッチ操作手段は、設定範囲内へのタッチ操作位置に応じて、機器の設定を変更する入力操作を実行し、機器制御手段は、タッチ操作手段による設定変更の入力操作に基づいて機器の設定を変更する制御を実行し、振動制御手段は、機器の設定変更に応じて異なる振動を発生させることを特徴とする。
【００１０】
例えば、エアコン機器の風量調節機能において、風量の設定範囲を示す設定変更スイッチを模擬した図形を画面に表示し、この設定範囲内へのタッチ操作位置に応じて、設定風量を変更する入力操作を行う。これにより、ユーザは、タッチ操作する設定範囲内の位置を変えることで、設定風量の変更が可能となる。さらに、この設定変更に応じて異なる振動をタッチパネルに発生させることで、ユーザは、画面を注視することなく、風量の設定状態を確認することができる。なお、エアコン機器に限らず、タッチ操作によって設定変更する設定機能を有する機器や装置等に採用することができる。
【００１１】
請求項４に記載のタッチ操作入力装置によれば、機器制御手段は、タッチパネルをタッチ操作している時間の長さに基づいて機器の動作速度の制御を実行し、振動制御手段は、機器の動作速度に応じて異なる振動を発生させることを特徴とする。
【００１２】
例えば、ナビゲーション装置の地図スクロール機能において、タッチ操作時間の長さに基づいてスクロール速度が高くなるように地図スクロールを制御する。これにより、タッチ操作を継続して行うことで、スクロール速度を変更することができるとともに、スクロール速度に応じて異なる振動が発生するため、画面を注視しなくとも、どの程度のスクロール速度でスクロールしているのかを確認することができる。
【００１３】
請求項５に記載のタッチ操作入力装置では、機器制御手段は、タッチパネルをタッチ操作している時間の長さに基づいて機器の設定を連続的に変更する制御を実行し、振動制御手段は、連続的に変更される設定に応じて連続的に異なる振動を発生させることを特徴とする。
【００１４】
例えば、オーディオ機器の音量調節機能において、タッチ操作時間の長さに基づいて音量の設定を連続的に変更し、この連続的に変更される音量に応じて、例えば、振動レベル等を連続的に変更して振動する。これにより、画面を注視しなくとも、連続的に変更される設定を確認することができる。
【００１５】
請求項６に記載のタッチ操作入力装置によれば、表示制御手段は、操作スイッチを模擬した図形とともに地図を画面に表示し、機器制御手段は、タッチ操作時間の長さに応じて地図のスクロール速度を制御し、振動制御手段は、地図のスクロール速度に応じて異なる振動を発生させることを特徴とする。
【００１６】
これにより、画面を注視しなくとも、タッチ操作を継続して行うことによって、どの程度のスクロール速度で地図のスクロール表示がなされているかを確認することができる。なお、地図のスクロール表示に限らず、例えば、リストのスクロール表示等では、タッチ操作時間の長さに応じてリストのスクロール速度を制御し、このスクロール速度に応じて異なる振動を発生させることで、どの程度のスクロール速度でリストのスクロール表示がなされているかを確認することができる。
【００１７】
請求項７及び請求項８に記載のタッチ操作入力装置における振動発生方法の作用効果は、請求項１及び請求項２に記載のタッチ操作入力装置の作用効果と同様であるため、その説明を省略する。
【００１８】
【発明の実施の形態】
以下、本発明の実施の形態におけるタッチ操作入力装置、タッチ操作入力装置における振動発生方法に関して、図面に基づいて説明する。なお、本発明のタッチ操作入力装置、及びその振動発生方法を車載機器制御装置に適用した例について説明する。
【００１９】
（第１の実施形態）
図１は、本実施形態に係わる車載機器制御装置１００と複数の車載機器との接続関係を示すブロック図である。同図に示すように、本実施形態の車載機器制御装置１００は、パネルＥＣＵ４、及びパネルＥＣＵ４に接続される表示装置５から構成される。パネルＥＣＵ４は、ナビゲーション装置を制御するナビＥＣＵ１、エアコン機器を制御するエアコンＥＣＵ２、及びオーディオ機器を制御するオーディオＥＣＵ３と多重信号線を介して接続されている。
【００２０】
表示部５は、液晶の画面にタッチパネル５ａが採用されたもので、画面上には、図４に示すように、車載機器を操作する操作画面へ移動するための選択画面が表示される。ユーザは、所望の車載機器の操作項目をタッチ操作することで、そのタッチ操作した車載機器を操作する操作画面に移動することができる。また、各車載機器の操作画面には、車載機器を操作する操作スイッチを模擬した図形が表示され、この操作スイッチをタッチ操作することで、所望の操作をすることができる。
【００２１】
ここで、表示部５の構成、及びタッチパネル５ａを振動させる動作について説明する。図２に、表示装置５の斜視図を示し、図３に、表示装置５のＡ−Ａ断面図を示す。表示装置５は、図２に示すように、ユーザによるタッチ操作とその位置を検出するタッチパネル５ａを備えている。このタッチパネル５ａは、図３に示すように、一方の面が液晶５ｂの画面に対向して配置されており、他方の面から液晶５ｂの画面の表示内容の読み取りが可能になっている。また、タッチパネル５ａの内部には、空洞部分（空気層）が設けられている。
【００２２】
表示装置５は、液晶５ｂの表示内容を明瞭にさせるバックライトを有している。このバックライトは、図３に示すように、冷陰極管５ｃ、及び導光板５ｄによって構成され、冷陰極管５ｃの発する光を導光板５ｄが受けることで、液晶５ｂの背面から発光する。
【００２３】
また、表示装置５は、タッチパネル５ａを振動させるアクチュエータを有している。このアクチュエータは、図３に示すように、電気信号を受けて往復運動するソレノイド５ｅと、その往復運動に連動する振動板（図示せず）によって構成される。この振動板は、上述したタッチパネル５ａの空洞部分に設けられており、ソレノイド５ｅが往復運動を行うことにより、振動板が連動して往復運動を行う。この振動板の往復運動により、タッチパネル５ａ内部の空洞部分の気圧が変化し、その結果、タッチパネル５ａの表面が振動する。
【００２４】
なお、タッチパネル５ａを振動させるアクチュエータは、本実施形態のアクチュエータに限定されるものではなく、例えば、特開２０００−１３７５７６号公報に開示されている、モータを用いたアクチュエータ等、タッチパネル５ａを振動することが可能なアクチュエータであればよい。
【００２５】
パネルＥＣＵ４は、前述のように、各車載機器のＥＣＵ１、２、３と多重信号線によって接続されており、この多重信号線を介して信号の送受信を行う。例えば、タッチパネル５ａからの検出信号を受信し、この検出信号に対応する制御信号を各ＥＣＵ１、２、３に送信する。各ＥＣＵ１、２、３は、受信した制御信号に応じて各車載機器を動作させる。
【００２６】
また、パネルＥＣＵ４は、各ＥＣＵ１、２、３から送信される各車載機器の動作状態信号を受信し、この受信した動作状態信号に基づいて、各車載機器の作動状況を表示装置５へ表示させる表示指示信号を表示装置５へ送信する。
【００２７】
ここで、本実施形態における車載機器制御装置１００の動作について説明する。先ず、車載機器制御装置１００に電源が投入されると、図４に示すように、車載機器を操作する操作画面へ移動するための選択画面を表示装置５に表示させる。そして、例えば、同図中の「エアコン」の項目をタッチ操作すると、図５に示すような、エアコン機器の温度設定、及び風量設定を操作する操作画面が表示される。この操作画面には、上下方向に設定範囲をもつ操作スイッチが表示されており、ユーザは、操作スイッチの設定範囲内をタッチ操作することで、そのタッチ操作した上下位置に相当する設定に変更することができる。
【００２８】
図５に示すように、このエアコン機器の操作画面に表示される温度設定、及び風量設定の操作スイッチには、異なる振動パターンが各々割り当てられており、ユーザが操作スイッチをタッチ操作すると、その操作スイッチに割り当てられた振動パターンでタッチパネル５ａが振動する。これにより、ユーザは、画面を注視せずに操作スイッチの種類を確認することができる。
【００２９】
なお、本実施形態では、タッチ操作した設定範囲内の上下位置に応じて変更される温度や風量の設定に基づいて、タッチパネル５ａの振動レベルを変更する。例えば、風量設定では、風量「ＬＯ」付近の位置をタッチ操作すると、振動レベルの小さい振動がタッチパネル５ａに発生し、風量「ＨＩ」付近の位置をタッチ操作すると、振動レベルの大きい振動がタッチパネル５ａに発生する。一方、温度設定では、温度「２０」付近の位置をタッチ操作すると、振動レベルの小さい振動がタッチパネル５ａに発生し、温度「３０」付近の位置をタッチ操作すると、振動レベルの大きい振動がタッチパネル５ａに発生する。
【００３０】
一方、図４に示した、車載機器を操作する操作画面へ移動するための選択画面から、「オーディオ」の項目がタッチ操作されると、図６に示すように、オーディオの出力設定（例えば、複数のスピーカの音量バランス等を調整するバランス設定、高音設定、及び低音設定）の操作画面が表示される。この操作画面には、左右方向に設定範囲をもつ操作スイッチが複数表示されており、ユーザは、操作スイッチの設定範囲内をタッチ操作することで、そのタッチ操作した左右位置に相当する設定に変更することができる。
【００３１】
図６に示すように、このオーディオ機器の操作画面に表示される、バランス設定、高音設定、及び低音設定を操作する操作スイッチには、異なる振動パターンが各々割り当てられており、ユーザが操作スイッチをタッチ操作すると、その操作スイッチに割り当てられた振動パターンでタッチパネル５ａが振動する。これにより、ユーザは、画面を注視せずに、操作スイッチの種類を確認することができる。
【００３２】
なお、本実施形態では、タッチ操作した設定範囲内の左右位置に応じて変更されるバランス、高音、及び低音の設定に基づいて、タッチパネル５ａの振動レベルを変更する。例えば、バランス設定では、「ＲＩＧＨＴ」や「ＬＥＦＴ」付近の位置をタッチ操作すると、振動レベルの大きい振動がタッチパネル５ａに発生し、その中間位置付近の位置をタッチ操作すると、振動レベルの小さい振動がタッチパネル５ａに発生する。一方、高音・低音設定についても、「ＭＩＮ」や「ＭＡＸ」付近の位置をタッチ操作すると、振動レベルの大きい振動がタッチパネル５ａに発生し、その中間位置付近の位置をタッチ操作すると、振動レベルの小さい振動がタッチパネル５ａに発生する。
【００３３】
次に、本実施形態の特徴部分に係わる、エアコン機器やオーディオ機器の操作画面における、タッチ操作した設定範囲内の位置に応じて変更される各種設定に基づいて、タッチパネル５ａに異なる振動を発生させる処理について、図７に示すフローチャートを用いて説明する。
【００３４】
図７に示すステップＳ１００では、タッチパネル５ａへのタッチ操作の検出を開始し、ステップＳ１１０では、タッチパネル５ａへのタッチ操作を検出したか否かを判定する。ここで、肯定判定される場合にはステップＳ１２０へ処理を進め、否定判定される場合にはステップＳ１００へ処理を移行する。
【００３５】
ステップＳ１２０では、タッチ操作の位置に相当する操作スイッチが上下に設定範囲をもつ操作スイッチ（縦スライド）であるのか、または、左右に設定範囲をもつ操作スイッチ（横スライド）であるのかを判定する。ここで、縦スライドの操作スイッチである場合には、ステップＳ１３０へ処理を進め、横スライドの操作スイッチである場合には、ステップＳ１４０へ処理を進める。
【００３６】
ステップＳ１３０では、縦スライドの操作スイッチにおける振動レベル、及び振動パターンの設定を読み込み、ステップＳ１４０では、横スライドの操作スイッチにおける振動レベル、及び振動パターンの設定を読み込む。
【００３７】
ステップＳ１５０では、縦スライドの操作スイッチにおいては、タッチ操作した横位置に基づいて振動パターンを選択し、横スライドの操作スイッチにおいては、タッチ操作した縦位置に基づいて振動パターンを選択する。ステップＳ１６０では、縦スライドの操作スイッチにおいては、タッチ操作した縦位置に基づいて振動レベルを選択し、横スライドの操作スイッチにおいては、タッチ操作した横位置に基づいて振動パターンを選択する。そして、ステップＳ１７０にて、選択した振動パターン、及び振動レベルの振動をタッチパネル５ａに発生させる。
【００３８】
このように、本実施形態の車載機器制御装置１００は、タッチ操作した設定範囲内の位置に応じて変更される各種設定に基づいて、タッチパネル５ａに異なる振動を発生させる。これにより、ユーザは、タッチ操作する設定範囲内の位置を変えることで設定変更が可能となり、さらに、この変更される設定に応じて異なる振動がタッチパネル５ａに発生するため、ユーザは、画面を注視することなく、設定状態を確認することができる。
【００３９】
なお、本実施形態では、エアコン機器、及びオーディオ機器を例に説明したが、これらの機器に限らず、タッチ操作によって設定変更を行う機器や装置等に、本実施形態の振動発生方法を採用することができる。
【００４０】
（第２の実施形態）
第２の実施形態は、第１の実施形態によるものと共通するところが多いので、以下、共通部分についての詳しい説明は省略し、異なる部分を重点的に説明する。
【００４１】
上述したように、第１の実施形態における車載機器制御装置１００は、タッチ操作した設定範囲内の位置に応じて変更される各種設定に基づいて、タッチパネル５ａに異なる振動を発生させるものであるが、本実施形態では、タッチ操作している時間の長さに応じて変更される車載機器の動作速度に応じて、タッチパネル５ａに異なる振動を発生させる点で異なる。
【００４２】
例えば、ナビゲーション装置等では、画面に地図を表示し、ユーザの操作する方向へ地図をスクロールするスクロール機能を備えている。図８は、地図のスクロール機能の際に、画面に表示される例を示した図であり、地図上に８方向の操作スイッチ（以下、８方向スイッチと呼ぶ）５ｆを表示する。ユーザは、この８方向スイッチ５ｆのうち、所望の方向のスイッチをタッチ操作することで、タッチ操作した方向へ地図をスクロールすることができる。
【００４３】
この８方向スイッチ５ｆをタッチ操作する際に、タッチパネル５ａを振動させれば、画面を注視しなくとも、画面がスクロールしていることを確認できる。さらに、この８方向スイッチ５ｆのうち、各々異なる振動パターンでタッチパネル５ａを振動させることで、画面がどの方向にスクロールしているのかを確認することができる。
【００４４】
なお、この地図のスクロール機能では、一般に、８方向スイッチ５ｆを所定時間継続してタッチ操作すると、スクロール速度を高くする。例えば、予めスクロール速度を２段階（Ｌｏスピード、Ｈｉスピード）設定し、８方向スイッチ５ｆを所定時間継続してタッチ操作した場合は、Ｈｉスピードのスクロール速度を設定し、また、所定時間継続してタッチ操作していない場合には、Ｌｏスピードのスクロール速度を設定する。
【００４５】
本実施形態では、このスクロール速度の高低に応じて、タッチパネル５ａに異なる振動を発生させる。例えば、スクロール速度が高くなった場合には、高い振動周波数の振動に変更する。以下、本実施形態の特徴部分である、地図のスクロール機能における、スクロール速度に応じて振動周波数を変更してタッチパネル５ａを振動させる処理について、図１１に示すフローチャートを用いて説明する。
【００４６】
図１１に示すステップＳ２００では、タッチパネル５ａへのタッチ操作の検出を開始し、ステップＳ２１０では、タッチパネル５ａへのタッチ操作を検出したか否かを判定する。ここで、肯定判定される場合にはステップＳ２２０へ処理を進め、否定判定される場合にはステップＳ２００へ処理を移行する。
【００４７】
ステップＳ２２０では、地図のスクロールが終了したか否かを判定し、肯定判定される場合には、本処理を終了する。これに伴って、例えば、タッチパネル５ａが振動していた場合には、この振動が停止する。また、否定判定される場合には、ステップＳ２３０へ処理を進める。
【００４８】
ステップＳ２３０では、スクロール中の地図のスクロール速度を把握する。すなわち、そして、現在設定されているスクロール速度（Ｌｏスピード、Ｈｉスピード）を把握する。
【００４９】
ステップＳ２４０では、ステップＳ２３０にて把握したスクロール速度に応じた振動周波数を設定し、この設定した振動周波数でタッチパネル５ａを振動させる。例えば、スクロール速度がＬｏスピードの場合には、低周波の振動を発生させ、スクロール速度がＨｉスピードの場合には、高周波の振動を発生させる。
【００５０】
このように、本実施形態の車載機器制御装置１００は、スクロール速度の高低に応じて、タッチパネル５ａに異なる振動を発生させる。これにより、画面を注視しなくとも、画面がどの方向にスクロールし、さらに、どの程度のスクロール速度でスクロールしているのかを確認することができる。
【００５１】
また、本実施形態では、ナビゲーション装置における地図のスクロール機能を例として説明したが、タッチ操作によって動作状態が変更される機器や装置等にも、本実施形態の振動発生方法を採用することができる。
【００５２】
（変形例１）
例えば、ナビゲーション装置等では、施設の名称を入力して、この入力した名称の施設を検索する５０音検索機能を備えている。図９は、この５０音検索機能における検索結果の表示例を示した図であり、ユーザによって入力された「ＨＯＬＩＤＡＹ  ＩＮＮ」を名称として含む施設の検索結果をリスト形式で表示する。この５０音検索機能では、一般に、１画面のリスト内に検索結果を表示できない場合には、リストをスクロールして表示する。例えば、ユーザは、スクロールスイッチ５ｇ〜５ｊをタッチ操作することで、施設名称のリストをスクロールすることができる。
【００５３】
スクロールスイッチ５ｇは、リストを先頭の方向にページ送りするものであり、スクロールスイッチ５ｊは、リストを末尾の方向にページ送りするものである。また、スクロールスイッチ５ｈは、リスト中の施設名称を先頭の方向にスクロールするものであり、スクロールスイッチ５ｉは、リスト中の施設名称を末尾の方向にスクロールするものである。
【００５４】
このスクロールスイッチ５ｇ〜５ｊをタッチ操作する際に、タッチパネル５ａを振動させれば、画面を注視しなくとも、リストがスクロールしていることを確認できる。さらに、このスクロールスイッチ５ｇ〜５ｊがタッチ操作された場合、各々異なる振動パターンでタッチパネル５ａを振動させることで、リストがどの方向にスクロールしているのかを確認することができる。
【００５５】
なお、この５０音検索機能におけるリストのスクロールでは、一般に、所定時間継続してタッチ操作すると、スクロール速度を高くする機能を有しているが、本変形例では、このスクロール速度の高低に応じて、タッチパネル５ａに異なる振動を発生させる。例えば、スクロール速度が高くなった場合には、それまでの振動していた周波数よりも高い周波数の振動に変更する。これにより、画面を注視しなくとも、リストがどの程度のスクロール速度でスクロールしているのかを確認することができる。
【００５６】
なお、リストの先頭、もしくは、末尾までスクロールした場合には、スクロール動作とともに、タッチパネル５ａへの振動も停止させる。これにより、リストのスクロールが停止したことを、画面を注視することなく確認できる。
【００５７】
（変形例２）
例えば、オーディオ機器等では、図１０に示すように、音量・高音・低音設定を調整する調整機能を備えている。同図に示すＵＰスイッチ５ｌは、各設定を高く変更する場合に操作するもので、ＤＯＷＮスイッチ５ｋは、各設定を低く変更する場合に操作するものである。ユーザは、ＵＰスイッチ５ｌやＤＯＷＮスイッチ５ｋをタッチ操作することで、各設定を変更することができる。
【００５８】
このＵＰスイッチ５ｌやＤＯＷＮスイッチ５ｋへのタッチ操作を検出した場合にタッチパネル５ａを振動させれば、画面を注視しなくとも、設定変更していることが確認できる。さらに、ＵＰスイッチ５ｌやＤＯＷＮスイッチ５ｋがタッチ操作された場合、各々異なる振動パターンでタッチパネル５ａを振動させることで、画面を注視することなく、設定変更している機能を確認することができる。
【００５９】
なお、このＵＰスイッチ５ｌやＤＯＷＮスイッチ５ｋをタッチ操作し続けることで、音量・高音・低音設定を連続して変更することができるが、本変形例では、この連続して変更される設定に基づいて、タッチパネル５ａの振動を連続的に変更する。例えば、低い設定から高い設定に連続的に変更される場合には、低い周波数から高い振動周波数の振動に変更し、逆に、高い設定から低い設定に連続的に変更される場合には、高い周波数から低い振動周波数の振動に変更する。これにより、画面を注視しなくとも、タッチ操作を継続して行うことで、どの程度設定変更されたのかを確認することができる。
【００６０】
なお、各設定の最大、もしくは、最小まで設定変更した場合には、タッチパネル５ａへの振動を停止させる。これにより、最大、もしくは、最小まで設定変更したことを、画面を注視することなく確認できる。
【図面の簡単な説明】
【図１】第１の実施形態に係わる、車載機器制御装置１００と複数の車載機器との接続関係を示すブロック図である。
【図２】第１の実施形態に係わる、表示装置５の斜視図である。
【図３】第１の実施形態に係わる、表示装置５のＡ−Ａ断面図である。
【図４】第１の実施形態に係わる、車載機器を操作する操作画面へ移動するための選択画面を示した図である。
【図５】第１の実施形態に係わる、エアコンの温度設定、及び風量設定を行う操作画面を示した図である。
【図６】第１の実施形態に係わる、オーディオの音量設定、高音・低音設定を行う操作画面を示した図である。
【図７】第１の実施形態に係わる、タッチ操作した設定範囲内の位置に応じて変更される各種設定に基づいて、タッチパネル５ａに異なる振動を発生させる処理を示すフローチャートである。
【図８】第２の実施形態に係わる、地図のスクロール表示の例を示した図である。
【図９】第２の実施形態の変形例１に係わる、リストのスクロール表示の例を示した図である。
【図１０】第２の実施形態の変形例２に係わる、オーディオ機器の音量、高音、及び低音調整画面の例を示した図である。
【図１１】第２の実施形態に係わる、地図のスクロール機能における、スクロール速度に応じて振動周波数を変更してタッチパネル５ａを振動させる処理を示すフローチャートである。
【符号の説明】
５  表示装置
５ａ  タッチパネル
５ｂ  液晶
５ｃ  冷陰極管
５ｄ  導電板
５ｅ  ソレノイド
１００  車載機器制御装置
【図１】
2004362428.tif 000003
【図２】
2004362428.tif 000004
【図３】
2004362428.tif 000005
【図４】
2004362428.tif 000006
【図５】
2004362428.tif 000007
【図６】
2004362428.tif 000008
【図７】
2004362428.tif 000009
【図８】
2004362428.tif 000010
【図９】
2004362428.tif 000011
【図１０】
2004362428.tif 000012
【図１１】
2004362428.tif 000013